(57)【要約】簡単な構成で、照射面上に歪みのない照射像を照射することのできる照明装置を提供する。このため、ＬＥＤ１２から各レンズ部２３ｂに入射する遮光マスク２４をフライアイレンズ２３に対向配置する。遮光マスク２４上に配設した遮光部２４ｂの開口形状を、フライアイレンズ２３と照射面１００との対向状態に応じて設定し、遮光部２４ｂによって、照射面１００上で照射像の形状を歪ませる領域の光が各レンズ部２３ｂに入射することを禁止する。【特許請求の範囲】
【請求項１】
光源からの出射光を入射して照射面上の照射領域に互いに重畳させて出射する複数のレンズ部を有するフライアイレンズと、
前記光源から前記フライアイレンズの各レンズ部に入射する光を制限する遮光手段とを具備し、
前記遮光手段は、前記フライアイレンズと前記照射面との対向状態に応じて設定されるものであって、前記照射面上で照射像の形状を歪ませる領域の光が前記各レンズ部に入射することを禁止することを特徴とする照明装置。
【請求項２】
前記フライアイレンズと前記照射面との対向状態に応じて遮光部を異なる形状に設定した遮光マスクを前記遮光手段として複数有し、
前記各遮光マスクは、前記フライアイレンズの入射面に交換可能に対向することを特徴とする請求項１記載の照明装置。
【請求項３】
前記遮光マスクは、レンズ光学系ユニットを構成する筐体の遮光マスク保持溝に挿入保持されるものであって、
前記遮光マスクは、前記遮光マスク保持溝に対応して開口するスロットを通じて前記筐体に挿脱自在であることを特徴とする請求項２記載の照明装置。
【請求項４】
前記遮光手段は、前記フライアイレンズの入射面に対向する透過型の液晶パネルと、
前記フライアイレンズと前記照射面との対向状態に応じて前記液晶パネル上に遮光部を可変表示させる表示制御手段とを具備することを特徴とする請求項１記載の照明装置。
【請求項５】
支持部材を介した支持により、前記照射面に対する前記フライアイレンズの対向状態を変更可能な照明装置であって、
前記照射面に対する前記フライアイレンズの傾き角を検出する角度検出装置を具備し、
前記表示制御手段は、前記角度検出装置で前記フライアイレンズの傾き角の変化を検出する毎に、前記液晶パネル上に表示する遮光部を変化させることを特徴とする請求項４記載の照明装置。
【請求項６】
前記角度検出装置は、前記フライアイレンズが前記照射面に正対している状態を基準として、前記フライアイレンズの３軸回りの傾き角をそれぞれ検出することを特徴とする請求項５記載の照明装置。
【請求項７】
前記フライアイレンズの傾き角に応じて前記液晶パネル上に表示する遮光部の情報は、予めマップ化されて前記表示制御手段に格納されていることを特徴とする請求項５記載の照明装置。
【発明の詳細な説明】
【技術分野】
【０００１】  本発明は、光源から出射する光を、フライアイレンズを用いて照射面上に均一照度で照射する照明装置に関する。
【背景技術】
【０００２】  一般に、照射面上に設定した照射領域を照明装置で照明する場合、照射領域には均一照度の光を照射することが望ましい。このような照射領域に対する均一照度の光の照射は、例えば、特開２００１−３３７２０４公報に開示されているように、光源からの光を、複数のレンズ部がマトリクス状に配列されたフライアイレンズに入射させることで実現が可能である。【０００３】  ところで、一般にフライアイレンズの各レンズ部は平面矩形形状をなすため、フライアイレンズを用いた照明装置は、特に、矩形の照射領域を均一に照明する場合に有効である。その反面、照射領域が矩形に設定されている場合には、各レンズ部のレンズ曲面による球面収差等に起因する照射像の歪みが顕著に現れる。特に、レイアウト上の制約等から照明装置（フライアイレンズ）を照射面に正対して設置することが困難である場合には、照射像の歪みが四隅部でより顕著となる。【０００４】  これに対処し、各レンズ部のレンズ曲面を用途等に応じて個別に設計し、レンズ曲面を非球面形状とすることで照射像の歪みを補正することも考えられるが、各レンズ部のレンズ曲面に用途等に応じた微細な加工を施すことは、製造コストの高騰等を招く虞がある。【０００５】  本発明は、簡単な構成で、照射面上に歪みのない照射像を照射することのできる照明装置を提供することを目的とする。
【発明の開示】
【課題を解決するための手段】
【０００６】  本発明は、光源からの出射光を入射して照射面上の照射領域に互いに重畳させて出射する複数のレンズ部を有するフライアイレンズと、前記光源から前記フライアイレンズの各レンズ部に入射する光を制限する遮光手段とを具備し、前記遮光手段は、前記フライアイレンズと前記照射面との対向状態に応じて設定されるものであって、前記照射面上で照射像の形状を歪ませる領域の光が前記各レンズ部に入射することを禁止することを特徴とする。
【図面の簡単な説明】
【０００７】
【図１】本発明の第１の実施形態に係わり、照明装置の要部断面図
【図２】同上、照明装置の分解斜視図
【図３】同上、フライアイレンズの照射面に対する座標系を示す説明図
【図４Ａ】同上、フライアイレンズが照射面に正対しているときの遮光部の一例を示す説明図
【図４Ｂ】同上、フライアイレンズが照射面に正対しているときの図４Ａの遮光部で補正された照射像の一例を示す説明図
【図５Ａ】同上、フライアイレンズが照射面に対して図３のＸ軸回りに傾いているときの遮光部の一例を示す説明図
【図５Ｂ】同上、フライアイレンズが照射面に対して図３のＸ軸回りに傾いているときの図５Ａの遮光部で補正された照射像の一例を示す説明図
【図６Ａ】同上、フライアイレンズが照射面に対して図３のＹ軸回りに傾いているときの遮光部の一例を示す説明図
【図６Ｂ】同上、フライアイレンズが照射面に対して図３のＹ軸回りに傾いているときの図６Ａの遮光部で補正された照射像の一例を示す説明図
【図７Ａ】同上、フライアイレンズが照射面に対して図３のＺ軸回りに傾いているときの遮光部の一例を示す説明図
【図７Ｂ】同上、フライアイレンズが照射面に対して図３のＺ軸回りに傾いているときの図７Ａの遮光部で補正された照射像の一例を示す説明図
【図８Ａ】同上、フライアイレンズが照射面に対してＸ軸回り及びＹ軸回りに傾いているときの遮光部の一例を示す説明図
【図８Ｂ】同上、フライアイレンズが照射面に対してＸ軸回り及びＹ軸回りに傾いているときの図８Ａの遮光部で補正された照射像の一例を示す説明図
【図９Ａ】同上、フライアイレンズが照射面に対してＸ軸回り及びＹ’軸回りに傾いているときの遮光部の一例を示す説明図
【図９Ｂ】同上、フライアイレンズが照射面に対してＸ軸回り及びＹ’軸回りに傾いているときの図９Ａの遮光部で補正された照射像の一例を示す説明図
【図１０Ａ】同上、フライアイレンズが照射面に対してＸ軸回り及びＺ軸回りに傾いているときの遮光部の一例を示す説明図
【図１０Ｂ】同上、フライアイレンズが照射面に対してＸ軸回り及びＺ軸回りに傾いているときの図１０Ａの遮光部で補正された照射像の一例を示す説明図
【図１１】本発明の第２の実施形態に係わり、照明装置の要部断面図
【図１２】同上、照明装置の分解斜視図
【図１３】同上、液晶パネルの制御系を示す概略構成図
【図１４】同上、遮光部表示制御ルーチンを示すフローチャート
【発明を実施するための最良の形態】
【０００８】  以下、図面を参照して本発明の実施形態を説明する。図１乃至図１０Ｂは本発明の第１の実施形態に係わり、図１は照明装置の要部断面図、図２は照明装置の分解斜視図、図３はフライアイレンズの照射面に対する座標系を示す説明図、図４Ａはフライアイレンズが照射面に正対しているときの遮光部の一例を示す説明図、図４Ｂはフライアイレンズが照射面に正対しているときの図４Ａの遮光部で補正された照射像の一例を示す説明図、図５Ａはフライアイレンズが照射面に対して図３のＸ軸回りに傾いているときの遮光部の一例を示す説明図、図５Ｂはフライアイレンズが照射面に対して図３のＸ軸回りに傾いているときの図５Ａの遮光部で補正された照射像の一例を示す説明図、図６Ａはフライアイレンズが照射面に対して図３のＹ軸回りに傾いているときの遮光部の一例を示す説明図、図６Ｂはフライアイレンズが照射面に対して図３のＹ軸回りに傾いているときの図６Ａの遮光部で補正された照射像の一例を示す説明図、図７Ａはフライアイレンズが照射面に対して図３のＺ軸回りに傾いているときの遮光部の一例を示す説明図、図７Ｂはフライアイレンズが照射面に対して図３のＺ軸回りに傾いているときの図７Ａの遮光部で補正された照射像の一例を示す説明図、図８Ａはフライアイレンズが照射面に対してＸ軸回り及びＹ軸回りに傾いているときの遮光部の一例を示す説明図、図８Ｂはフライアイレンズが照射面に対してＸ軸回り及びＹ軸回りに傾いているときの図８Ａの遮光部で補正された照射像の一例を示す説明図、図９Ａはフライアイレンズが照射面に対してＸ軸回り及びＹ’軸回りに傾いているときの遮光部の一例を示す説明図、図９Ｂはフライアイレンズが照射面に対してＸ軸回り及びＹ’軸回りに傾いているときの図９Ａの遮光部で補正された照射像の一例を示す説明図、図１０Ａはフライアイレンズが照射面に対してＸ軸回り及びＺ軸回りに傾いているときの遮光部の一例を示す説明図、図１０Ｂはフライアイレンズが照射面に対してＸ軸回り及びＺ軸回りに傾いているときの図１０Ａの遮光部で補正された照射像の一例を示す説明図である。【０００９】  図１，２において、符号１は、壁面等に設定した固定位置から照射面１００に光を照射する照明装置を示す。この照明装置１は、例えば、出射平面１２ａに片凸レンズが固設した表面実装型の発光ダイオード（ＬＥＤ）１２を光源とする光源ユニット１０と、この光源ユニット１０に冠設するレンズ光学系ユニット２０とを有する。【００１０】  光源ユニット１０は、ＬＥＤ基板１１を有する。ＬＥＤ基板１１は、その略中央部に半田付け等によってＬＥＤ１２を保持し、さらに、保持したＬＥＤ１２を図示しない電源回路と電気的に接続する。ここで、ＬＥＤ１２の発光効率を向上するため、ＬＥＤ基板１１の裏面には、放熱フィン１３が固着している。【００１１】  また、レンズ光学系ユニット２０は、レンズ筐体２１と、このレンズ筐体２１に収容保持されるコリメーションレンズ２２、及び、フライアイレンズ２３を有する。さらに、レンズ光学系ユニット２０は、レンズ筐体２１内でフライアイレンズ２３の入射面に対向する遮光手段としての遮光マスク２４を有する。【００１２】  図２に示すように、本実施形��において、レンズ筐体２１は、略角筒形状をなし、その光軸方向の一端にＬＥＤ挿入口３０が開口している。また、レンズ筐体２１の光軸方向の他端には、ＬＥＤ挿入口３０に対向する位置に、照明光の出射口３１が開口している。そして、図１に示すように、レンズ筐体２１は、光源ユニット１０に冠設した際に、ＬＥＤ挿入口３０を通じてＬＥＤ１２を内部に露呈させ、ＬＥＤ１２の出射平面１２ａを出射口３１に対向させる。【００１３】  また、レンズ筐体２１は、一側に開口するレンズ挿入口３３を有し、このレンズ挿入口３３に隣接する各側壁の内面に、ＬＥＤ挿入口３０側から順に、互いに対向するコリメーションレンズ保持溝３５、遮光マスク保持溝３６、及び、フライアイレンズ保持溝３７を有する。【００１４】  ここで、図２中符号４５は側板であり、この側板４５は、各レンズ２２，２３及び遮光マスク２４をレンズ筐体２１内に収容後に、例えば粘着テープ等による貼着によって、レンズ筐体２１のレンズ挿入口３３を閉塞する。本実施形態において、側板４５には遮光マスク保持溝３６に対応するスロット４５ａが開口しており、このスロット４５ａを通じて遮光マスク２４が挿脱可能な構成となっている。【００１５】  コリメーションレンズ２２は、例えば、コリメーションレンズ保持溝３５に挿入保持される平面略矩形形状のレンズ基板２２ａの出射側に、レンズ部２２ｂが一体形成されたレンズ部材である。そして、コリメーションレンズ２２は、ＬＥＤ１２から入射する光を、レンズ部２２ｂで略平行光に変換して出射する。【００１６】  フライアイレンズ２３は、フライアイレンズ保持溝３７に挿入保持される平面略矩形形状のレンズ基板２３ａ上に、例えば下方に突出する入射面（レンズ曲面）と上方に突出する出射面（レンズ曲面）とを備えた複数（例えば、５×７個）のレンズ部２３ｂがマトリクス状に一体形成されたレンズ部材である。そして、フライアイレンズ２３は、コリメーションレンズ２２から各レンズ部２３ｂにそれぞれ入射する光を互いに重畳させることにより、特定の照射領域を均一に照射する。ここで、本実施形態において、各レンズ部２３ｂを平面視した際の縦横寸法は、例えば、３ｍｍ×４．２ｍｍである。また、各レンズ部２３ｂの厚さ（頂間距離）は、例えば、８．３ｍｍである。また、各レンズ部２３ｂの入射面及び出射面は球面形状をなし、これらの曲率半径は、何れも３．０ｍｍである。【００１７】  遮光マスク２４は、遮光マスク保持溝３６に挿入保持される平面略矩形形状の光透過性基板２４ａと、この光透過性基板２４ａに形成される遮光部（遮光膜）２４ｂとを有する。遮光マスク２４はフライアイレンズ２３の入射面に近接して対向しており、遮光部２４ｂには、フライアイレンズ２３の各レンズ部２３ｂにそれぞれ対応する位置に、光透過部２４ｃが開口している。すなわち、遮光部２４ｂは、光透過性基板２４ａ上に光透過部２４ｃを画成することで、ＬＥＤ１２からフライアイレンズ２３の各レンズ部２３ｂに入射する光を制限する。【００１８】  本実施形態において、遮光部２４ｂは、照明装置１が使用される際のフライアイレンズ２３と照射面１００との対向状態に応じて設定されるものであって、照射面１００上で照射像���０１の形状を歪ませる領域の光が各レンズ部２３ｂに入射することを禁止するものである。ここで、遮光部２４ｂの開口形状は、例えば、実験やシミュレーション等に基づいて設定されるものである。【００１９】  具体例について説明すると、図３に示すように、照明装置１を照射面１００に正対させて使用する場合（すなわち、フライアイレンズ２３が照射面１００に正対している場合）、各レンズ部２３ｂに対する各遮光部２４ｂの形状は、例えば、図４Ａに示すように、それぞれ所定曲率を有する４本の円弧によって規定することが可能である。ここで、図４Ａにおいて、破線で囲まれた矩形領域がレンズ部２３ｂに対向する領域である。この対向領域内において、各円弧は対向領域の各境界線にそれぞれ接するように設定されており、各円弧の交点は各境界線に対して図示の位置に存在する。そして、このように遮光部２４ｂを設定することにより、各レンズ部２３ｂの収差等に起因する照射像の歪みを補正することが可能となる。ここで、図４Ｂにおいて、符号１０１ａは遮光マスク２４によって各レンズ部２３ｂへの入射光を制限しない場合に照射面１００上で得られる照射像であり、符号１０１は遮光マスク２４によって各レンズ部２３ｂへの入射光を制限した場合に照射面１００上で得られる照射像である。【００２０】  その他、照明装置１を使用する際のフライアイレンズ２３と照射面１００との対向状態に応じて、遮光マスク２４に各種開口形状の遮光部２４ｂを設定することが可能である。例えば、照明装置１を照射面１００に対して上下方向に３０°傾けて使用する場合（すなわち、フライアイレンズ２３を照射面１００に対し、図３に示す座標系のＸ軸回りに３０°回転させた場合）、各レンズ部２３ｂに対する各遮光部２４ｂの形状は、例えば、図５Ａに示すように、それぞれ所定曲率を有する４本の円弧によって規定することが可能である。ここで、図５Ａにおいて、破線で囲まれた矩形領域がレンズ部２３ｂに対向する領域である。この対向領域内において、各円弧は対向領域の各境界線にそれぞれ接するように設定されており、各円弧の交点は各境界線に対して図示の位置に存在する。そして、このように遮光部２４ｂを規定することにより、各レンズ部２３ｂの収差や照射面１００に対する傾き等に起因する照射像の歪みを補正することが可能となる。ここで、図５Ｂにおいて、符号１０１ａは遮光マスク２４によって各レンズ部２３ｂへの入射光を制限しない場合に照射面１００上で得られる照射像であり、符号１０１は遮光マスク２４によって各レンズ部２３ｂへの入射光を制限した場合に照射面１００上で得られる照射像である。【００２１】  また、例えば、照明装置１を照射面１００に対して左右方向に３０°傾けて使用する場合（すなわち、フライアイレンズ２３を照射面１００に対し、図３に示す座標系のＹ軸回りに３０°回転させた場合）、各レンズ部２３ｂに対する各遮光部２４ｂの形状は、例えば、図６Ａに示すように、それぞれ所定曲率を有する４本の円弧によって規定することが可能である。ここで、図６Ａにおいて、破線で囲まれた矩形領域がレンズ部２３ｂに対向する領域である。この対向領域内において、各円弧は対向領域の各境界線にそれぞれ接するように��定されており、各円弧の交点は各境界線に対して図示の位置に存在する。そして、このように遮光部２４ｂを規定することにより、各レンズ部２３ｂの収差や照射面１００に対する傾き等に起因する照射像の歪みを補正することが可能となる。ここで、図６Ｂにおいて、符号１０１ａは遮光マスク２４によって各レンズ部２３ｂへの入射光を制限しない場合に照射面１００上で得られる照射像であり、符号１０１は遮光マスク２４によって各レンズ部２３ｂへの入射光を制限した場合に照射面１００上で得られる照射像である。【００２２】  また、例えば、照明装置１を照射面１００に対して光軸回りに３０°回転させて使用する場合（すなわち、フライアイレンズ２３を照射面１００に対し、図３に示す座標系のＺ軸回りに３０°回転させた場合）、各レンズ部２３ｂに対する各遮光部２４ｂの形状は、例えば、図７Ａに示すように、４本の略直線によって規定することが可能である。ここで、図７Ａにおいて、破線で囲まれた矩形領域がレンズ部２３ｂに対向する領域である。この対向領域内において、遮光部２４ｂの形状を規定する各線の交点は図示の位置に存在する。そして、このように遮光部２４ｂを規定することにより、各レンズ部２３ｂの収差や照射面１００に対する回転等に起因する照射像の歪みを補正することが可能となる。ここで、図７Ｂにおいて、符号１０１ａは遮光マスク２４によって各レンズ部２３ｂへの入射光を制限しない場合に照射面１００上で得られる照射像であり、符号１０１は遮光マスク２４によって各レンズ部２３ｂへの入射光を制限した場合に照射面１００上で得られる照射像である。【００２３】  また、例えば、照明装置１を照射面１００に対して上下方向に３０°回転させるとともに、左右方向に３０°回転させて使用する場合（すなわち、フライアイレンズ２３を照射面１００に対し、図３に示す座標系のＸ軸回り左方向に３０°回転させるとともに、Ｙ軸回り右方向に３０°回転させた場合）、各レンズ部２３ｂに対する各遮光部２４ｂの形状は、例えば、図８Ａに示すように、それぞれ所定曲率を有する４本の円弧によって規定することが可能である。ここで、図８Ａにおいて、破線で囲まれた矩形領域がレンズ部２３ｂに対向する領域である。この対向領域内において、遮光部２４ｂの形状を規定する各円弧の交点は図示の位置に存在する。そして、このように遮光部２４ｂを規定することにより、各レンズ部２３ｂの収差や照射面１００に対する傾き等に起因する照射像の歪みを補正することが可能となる。ここで、図８Ｂにおいて、符号１０１ａは遮光マスク２４によって各レンズ部２３ｂへの入射光を制限しない場合に照射面１００上で得られる照射像であり、符号１０１は遮光マスク２４によって各レンズ部２３ｂへの入射光を制限した場合に照射面１００上で得られる照射像である。【００２４】  また、例えば、照明装置１を照射面１００に対して上下方向に３０°回転させ、さらに、この回転位置を基準として左右方向に３０°回転させて使用する場合（すなわち、フライアイレンズ２３を照射面１００に対し、図３に示す座標系のＸ軸回り右方向に３０°回転させ、このＸ軸回りの回転によって新たに規定されるＸ−Ｙ’−Ｚ’座標系のＹ’軸（図３の破線）回��左方向に３０°回転させた場合）、各レンズ部２３ｂに対する各遮光部２４ｂの形状は、例えば、図９Ａに示すように、それぞれ所定曲率を有する４本の円弧によって規定することが可能である。ここで、図９Ａにおいて、破線で囲まれた矩形領域がレンズ部２３ｂに対向する領域である。この対向領域内において、遮光部２４ｂの形状を規定する各円弧の交点は図示の位置に存在する。そして、このように遮光部２４ｂを規定することにより、各レンズ部２３ｂの収差や照射面１００に対する傾き等に起因する照射像の歪みを補正することが可能となる。ここで、図９Ｂにおいて、符号１０１ａは遮光マスク２４によって各レンズ部２３ｂへの入射光を制限しない場合に照射面１００上で得られる照射像であり、符号１０１は遮光マスク２４によって各レンズ部２４ｂへの入射光を制限した場合に照射面１００上で得られる照射像である。【００２５】  また、例えば、照明装置１を照射面１００に対して上下方向に３０°回転させるとともに、光軸回りに３０°回転させて使用する場合（すなわち、フライアイレンズ２３を照射面１００に対し、図３に示す座標系のＸ軸回り右方向に３０°回転させるとともに、Ｚ軸回り右方向に３０°回転させた場合）、各レンズ部２３ｂに対する各遮光部２４ｂの形状は、例えば、図１０Ａに示すように、それぞれ所定曲率を有する４本の円弧によって規定することが可能である。ここで、図１０Ａにおいて、破線で囲まれた矩形領域がレンズ部２３ｂに対向する領域である。この対向領域内において、遮光部２４ｂの形状を規定する各円弧の交点は図示の位置に存在する。そして、このように遮光部２４ｂを規定することにより、各レンズ部２３ｂの収差や照射面１００に対する傾き及び回転等に起因する照射像の歪みを補正することが可能となる。ここで、図１０Ｂにおいて、符号１０１ａは遮光マスク２４によって各レンズ部２３ｂへの入射光を制限しない場合に照射面１００上で得られる照射像であり、符号１０１は遮光マスク２４によって各レンズ部２４ｂへの入射光を制限した場合に照射面１００上で得られる照射像である。【００２６】  遮光部２４ｂの開口形状（すなわち、遮光部２４ｂに開口する光透過部２４ｃの形状）は、その他、フライアイレンズ２３と照射面１００との対向状態に応じて各種バリエーションのものを設定することが可能であり、これら遮光部２４ｂが異なる各遮光マスク２４は、側板４５に開口するスロット４５ａを通じた挿脱により、適宜交換可能である。そして、照明装置１を使用する際のフライアイレンズ２３の照射面１００に対する対向状態に応じて、遮光部２４ｂの開口形状が適切に設定された遮光マスク２４をフライアイレンズ２３に対向させることにより、照射面１００上に投写される照射像の歪みを補正することが可能となる。【００２７】  このような実施形態によれば、ＬＥＤ１２から各レンズ部２３ｂに入射する遮光マスク２４をフライアイレンズ２３に対向配置し、遮光マスク２４上の遮光部２４ｂの開口形状を、フライアイレンズ２３と照射面１００との対向状態に応じて設定し、遮光部２４ｂによって照射面１００上で照射像の形状を歪ませる領域の光が各レンズ部２３ｂに入射することを禁止することにより、簡単な構���で、照射面１００上に歪みのない照射像を照射することができる。すなわち、遮光マスク２４によって不要な入射光を遮光することにより、フライアイレンズ２３を構成する各レンズ部２３ｂのレンズ曲面に微細な非球面加工等を施すことなく、簡単な構成で照射面１００上に歪みのない照射像を照射することができる。【００２８】  その際、フライアイレンズ２３と照射面１００との対向状態に応じて遮光部２４ｂに開口する光透過部２４ｃの開口形状を異なる形状に設定した遮光マスク２４を複数用意し、遮光部２４ｂが異なる各遮光マスク２４を、フライアイレンズ２３の入射面に交換可能に対向させることにより、幅広い用途で、照射面上に歪みのない照射像を照射することができる。【００２９】  次に、図１１乃至図１４は本発明の第２の実施形態に係わり、図１１は照明装置の要部断面図、図１２は照明装置の分解斜視図、図１３は液晶パネルの制御系を示す概略構成図、図１４は遮光部表示制御ルーチンを示すフローチャートである。なお、本実施形態において、上述の第１の実施形態と同様の構成については、同符号を付して説明を省略する。【００３０】  図１１，１２に示すように、本実施形態において、レンズ筐体２１に形成された遮光マスク保持溝３６は、遮光マスク２４に代えて、透過型の液晶パネル５０を、フライアイレンズ２３の入射面に対向させて保持する。【００３１】  液晶パネル５０には表示制御手段としての表示制御部５３が接続しており、表示制御部５３は、フライアイレンズ２３と照射面１００との対向状態に応じて、各レンズ部２３ｂに対応する遮光部を、液晶パネル５０の表示部５０ａに可変表示する。【００３２】  具体的に説明すると、本実施形態において、照明装置１は、フライアイレンズ２３と照射面１００との傾き角を検出する角度検出装置５２を有する。この角度検出装置５２は、図１３に示すように、照明装置１を壁面等に回動自在に支持する支持部材５１に連設しており、例えば、フライアイレンズ２３が照射面１００と正対している状態を基準として、図３で示した座標系において、フライアイレンズ２３のＸ軸回りの傾き角α、Ｙ軸回りの傾き角β、及び、Ｚ軸回りの傾き角γを検出する。【００３３】  また、表示制御部５３には、例えば、フライアイレンズ２３の傾き角α，β，γに応じた遮光部の情報が予めマップ化されて格納されており、表示制御部５３は、角度検出装置５２で検出したフライアイレンズ２３の傾き角に基づき、マップを参照の上、液晶パネル５０の表示部５０ａに遮光部を可変表示する。ここで、表示制御部５３が表示部５０ａに可変表示する遮光部の各形状は、上述の第１の実施形態と同様、実験やシミュレーション等によって求められたものであり、表示制御部５３は、液晶パネル５０の表示部５０ａに遮光部を表示することにより、照射面１００上で照射像の形状を歪ませる領域の光がＬＥＤ１２からフライアイレンズ２３の各レンズ部２３ｂに入射することを禁止する。すなわち、液晶パネル５０は、表示制御部５３とともに遮光手段としての機能を実現する。【００３４】  次に、表示制御部５３で実行される遮光部表示制御について、図１４の遮光部表示制御ルーチンのフローチャートに従って説明する。このルーチン��所定時間毎に繰り返し実行されるもので、ルーチンがスタートすると、先ず、ステップＳ１において、表示制御部５３は、角度検出装置５２を通じて、照射面１００に対するフライアイレンズ２３の傾き角（α，β，γ）を検出する。【００３５】  続くステップＳ２において、表示制御部５３は、今回ステップＳ１で検出したフライアイレンズ２３の傾き角が、前回検出したものに対して変化しているか否かを調べる。そして、フライアイレンズ２３の傾き角が変化していると判定した場合にはステップＳ３に進み、フライアイレンズ２３の傾き角が変化していないと判定した場合にはステップＳ５に進む。【００３６】  ステップＳ２からステップＳ３に進むと、表示制御部５３は、予め設定されているマップ等を参照して、今回検出したフライアイレンズ２３の傾き角に応じた遮光部を演算し、続くステップＳ４において、演算した遮光部を液晶パネル５０の表示部５０ａに表示した後、ルーチンを抜ける。【００３７】  一方、ステップＳ２からステップＳ５に進むと、表示制御部５３は、前回の処理で表示したものと同様の遮光部を液晶パネル５０の表示部５０ａに表示した後、ルーチンを抜ける。【００３８】  このような実施形態によれば、上述の第１の実施形態で得られる効果に加え、フライアイレンズ２３と照射面１００との対向状態に応じて各レンズ部２３ｂに対する遮光部をリアルタイムで変更することができるので、より効果的に、照射面１００上への歪みのない照射像の照射を実現できるという効果を奏する。
【図１】
2006100857.tif 000002
【図２】
2006100857.tif 000003
【図３】
2006100857.tif 000004
【図４Ａ】
2006100857.tif 000005
【図４Ｂ】
2006100857.tif 000006
【図５Ａ】
2006100857.tif 000007
【図５Ｂ】
2006100857.tif 000008
【図６Ａ】
2006100857.tif 000009
【図６Ｂ】
2006100857.tif 000010
【図７Ａ】
2006100857.tif 000011
【図７Ｂ】
2006100857.tif 000012
【図８Ａ】
2006100857.tif 000013
【図８Ｂ】
2006100857.tif 000014
【図９Ａ】
2006100857.tif 000015
【図９Ｂ】
2006100857.tif 000016
【図１０Ａ】
2006100857.tif 000017
【図１０Ｂ】
2006100857.tif 000018
【図１１】
2006100857.tif 000019
【図１２】
2006100857.tif 000020
【図１３】
2006100857.tif 000021
【図１４】
2006100857.tif 000022
【国際調査報告】
2006100857.tif 000023
2006100857.tif 000024